(57)【特許請求の範囲】
【請求項１】
電子部品を内蔵する筐体と、
前記筐体の側面部に配置され、該筐体が情報処理装置に装着されることにより、該情報処理装置内の情報処理装置コネクタと接続されるコネクタとを有する電子機器において、
前記コネクタが配置された側面部と垂直関係にある前記筐体の側面部に配置され、該筐体が前記情報処理装置に装着される際に、該情報処理装置内に配置されたガイド受け部により支持され、前記筐体をガイドするガイド部と、
前記ガイド部と連続的につながり、前記筐体が前記情報処理装置に装着される際に、前記ガイド受け部により支持され、前記コネクタをガイドするコネクタガイド部と、
前記コネクタを保護するために該コネクタを覆う第１の位置と、前記情報処理装置が該コネクタと接続できるように該コネクタを外部に露出する第２の位置との間で移動可能な保護部と、
前記保護部を前記第１の位置に固定するロック部と、
前記コネクタガイド部に配置され、前記ロック部の固定を解除する被押圧部とを有し、
前記筐体が前記情報処理装置に装着される際に、前記情報処理装置内の解除部材に前記被押圧部が押圧されることにより、該被押圧部は前記ロック部の固定を解除することを特徴とする電子機器。
【請求項２】
更に、前記コネクタガイド部に配置され、前記被押圧部が前記筐体の内部と外部との間を移動可能な開口部を有し、
前記保護部を前記第１の位置に押すためのバネと、
前記被押圧部の一部を前記開口部から露出するためのバネとを有することを特徴とする請求項１に記載の電子機器。
【請求項３】
前記保護部を前記第１の位置へ押すためのバネが挿入された軸を前記コネクタに設けたことを特徴とする請求項２に記載の電子機器。
【請求項４】
電子部品を内蔵する筐体と、該筐体の側面部に配置された第１のコネクタを有する電子機器と、
該第１のコネクタと接続される第２のコネクタを有する本体装置とからなる情報処理装置であって、
前記電子機器は、
前記第１のコネクタが配置された側面部と垂直関係にある前記筐体の側面部に配置され、該筐体が前記本体装置に装着される際に、該本体装置内に配置されたガイド受け部により支持され、該筐体をガイドするガイド部と、
前記ガイド部と連続的につながり、前記筐体が前記本体装置に装着される際に、前記ガイド受け部により支持され、該筐体をガイドするコネクタガイド部と、
前記第１のコネクタを保護するために前記第１のコネクタを覆う第１の位置と、前記第２のコネクタが該第１のコネクタと接続できるように該第１のコネクタを外部に露出する第２の位置との間で移動可能な保護部と、
前記保護部を前記第１の位置に固定するためのロック部と、
前記コネクタガイド部に配置され、前記ロック部の固定を解除する被押圧部とを有し、
前記筐体が前記本体装置に装着される際に、前記本体装置内の解除部材に前記被押圧部が押圧されることにより、被被押圧部は前記ロック部の固定を解除することを特徴とする情報処理装置。
【請求項５】
更に、前記コネクタガイド部に配置され、前記被押圧部が前記筐体の内部と外部との間を移動可能な開口部を有し、
前記保護部を前記第１の位置に押すためのバネと、
前記被押圧部の一部を前記開口部から露出するバネとを有することを特徴とする請求項４に記載の情報処理装置。
【請求項６】
前記保護部を第１の位置へ押すためのバネが挿入された軸を前記第１のコネクタ側に設けたことを特徴とする請求項５に記載の情報処理装置。
【請求項７】
前記第２のコネクタに、前記軸が挿入される穴を設け、前記穴へ締結部材を挿入、圧入、またはねじ込むことにより前記第２のコネクタを本体装置に固定することを特徴とする請求項６に記載の情報処理装置。
【発明の詳細な説明】
【０００１】
【発明の属する技術分野】
本発明は、コネクタ、電子機器及び情報処理装置に関し、特に、電子機器に装着されるコネクタ、電子部品例えばハードディスクや半導体メモリ等の記憶媒体を内蔵し、パーソナルコンピュータ等の本体装置への着脱可能な電子機器及び情報処理装置に関するものである。
【０００２】
【従来の技術】
部品の小型化、高性能化により、持ち運び可能なノート型パーソナルコンピュータが実用化されているが、更に、ハードディスク装置の小型化も進んでおり、着脱可能なハードディスク装置も提案されている。
【０００３】
【発明が解決しようとする課題】
しかしながら、着脱可能なハードディスク装置は、パーソナルコンピュータ等の本体装置と電気的に接続するためのコネクタ部分が露出しており、埃の付着や静電気などにより、ディスク内のデータに影響を及ぼす恐れがあった。
【０００４】
そのため、コネクタ部分をシャッターで覆う構成が考えられるが、簡単な構成で実現する方法が望まれていた。
【０００５】
また、シャッターが不用意に開かない構成とすることが望まれていた。
【０００６】
本発明は、簡単な構成でコネクタの接続部分を覆うシャッターを実現することを目的とする。
【０００７】
また、本発明は、コネクタ保護部とコネクタガイド部とを有する電子機器の構造を簡単にすることを目的とする。
【０００８】
【課題を解決するための手段】
上記目的を達成するために、本発明の電子機器は、電子部品を内蔵する筐体と、前記筐体の側面部に配置され、該筐体が情報処理装置に装着されることにより、該情報処理装置内の情報処理装置コネクタと接続されるコネクタとを有する電子機器において、前記コネクタが配置された側面部と垂直関係にある前記筐体の側面部に配置され、該筐体が前記情報処理装置に装着される際に、該情報処理装置内に配置されたガイド受け部により支持され、前記筐体をガイドするガイド部と、前記ガイド部と連続的につながり、前記筐体が前記情報処理装置に装着される際に、前記ガイド受け部により支持され、前記コネクタをガイドするコネクタガイド部と、前記コネクタを保護するために該コネクタを覆う第１の位置と、前記情報処理装置が該コネクタと接続できるように該コネクタを外部に露出する第２の位置との間で移動可能な保護部と、前記保護部を前記第１の位置に固定するロック部と、前記コネクタガイド部に配置され、前記ロック部の固定を解除する被押圧部とを有し、前記筐体が前記情報処理装置に装着される際に、前記情報処理装置内の解除部材に前記被押圧部が押圧されることにより、該被押圧部は前記ロック部の固定を解除することを特徴とする。
【０００９】
また、本発明の情報処理装置は、電子部品を内蔵する筐体と、該筐体の側面部に配置された第１のコネクタを有する電子機器と、該第１のコネクタと接続される第２のコネクタを有する本体装置とからなる情報処理装置であって、前記電子機器は、前記第１のコネクタが配置された側面部と垂直関係にある前記筐体の側面部に配置され、該筐体が前記本体装置に装着される際に、該本体装置内に配置されたガイド受け部により支持され、該筐体をガイドするガイド部と、前記ガイド部と連続的につながり、前記筐体が前記本体装置に装着される際に、前記ガイド受け部により支持され、該筐体をガイドするコネクタガイド部と、前記第１のコネクタを保護するために前記第１のコネクタを覆う第１の位置と、前記第２のコネクタが該第１のコネクタと接続できるように該第１のコネクタを外部に露出する第２の位置との間で移動可能な保護部と、前記保護部を前記第１の位置に固定するためのロック部と、前記コネクタガイド部に配置され、前記ロック部の固定を解除する被押圧部とを有し、前記筐体が前記本体装置に装着される際に、前記本体装置内の解除部材に前記被押圧部が押圧されることにより、被被押圧部は前記ロック部の固定を解除することを特徴とする。
【００１１】
【発明の実施の形態】
以下、本発明の一実施の形態を、図面を用いて詳細に説明する。
【００１２】
（第１の実施の形態）
図１は、本実施の形態に係る電子機器、及び、コネクタの斜視図である。
【００１３】
図において、（ａ）と（ｂ）は、それぞれ異なる方向から見た電子機器及びコネクタである。
【００１４】
図において、１は電子機器であり、筐体１０及びコネクタ３０から構成され、筐体１０の内部には、ハードディスク、半導体メモリなどの記憶媒体と、この記憶媒体を駆動（データの読み書きなど）する電子部品が内蔵されている。コネクタ３０は、筐体１０に着脱自在であるが、筐体１０に装着された状態で、ネジ、ビス、半田などにより固定されている。
【００１５】
また、２０はコネクタであり、パーソナルコンピュータなどの情報処理装置本体に装着されており、コネクタ３０と接続されることにより、情報処理装置本体が、電子機器１との間でデータの送受信を行う。
【００１６】
コネクタ３０の側面には、凹状のガイド３１が設けられており、このガイド３１は、筐体１０の側面に設けられたガイド１３と略連続的に繋がっている。
【００１７】
このガイド３１及び１３は、情報処理装置本体の電子機器１を装着するための装着部の両端に設けられたガイド受け部により支持されるものである。
【００１８】
コネクタ３０の接続部１１は、シャッター１２により覆われる構成になっており、コネクタ２０とコネクタ３０が接続されることにより、シャッター１２が押されて、接続部１１と接続部２１とが接続する構成となっていまる。
【００１９】
図２は、コネクタ３０とコネクタ２０が接続した状態で、シャッター１２が押された（開いた）状態の斜視図である。尚、コネクタ２０は省略してある。
【００２０】
図３は、電子機器１の側面図である。
【００２１】
図１、３に示すように、シャッター１２をロックするためのロック部１４の一部が、コネクタ３０のガイド部３１の開口部１５から外部に露出している。
【００２２】
このロック部１４は、コネクタ３０とコネクタ２０が接続されるときに、コネクタ２０のロック解除部２２により押されて、ロックが解除され、シャッター１２が開く構造となっている。
【００２３】
ロック部１４について、更に詳細に説明する。
【００２４】
図４、図５は、電子機器１の断面図であり、図４は、ロック部１４により、シャッター１２がロックされた状態を示し、図５は、ロック部１４がコネクタ２０のロック解除部２２により解除され、シャッター１２が開いた状態を示している。
【００２５】
ロック状態においては、バネ１６によりシャッター１２が閉じた状態となっている。
【００２６】
コネクタ３０とコネクタ２０を接続するとき、ロック解除部２２によりロック部１４が内側に押され、ロックが解除される。そして、コネクタ２０の接続部２１の周囲の凸部によりシャッター１２が押され、接続部１１と接続部２１との接続が行われ、電子機器１と情報処理装置本体とが電気的に接続され、情報処理装置と電子機器１との間で情報の送受信を行うことが可能となる。
【００２７】
尚、本実施の形態において、電子機器１が情報処理装置本体に装着されるときに、ガイド部１３と３１が、情報処理装置本体のガイド受け部により支持されるときに、ロック部１４がガイド受け部により多少押されるが、ロック部１４は、ロックが完全に外れる状態までは押されないように構成されている。
【００２８】
コネクタ２０からコネクタ３０を取り外すとき（電子機器１を情報処理装置本体から取り外すとき）は、接続部１１と接続部２１が離れるにしたがって、接続部２１の周囲の凸部により押されていたシャッター１２が、バネ１６の力により戻され、それによって、ロック部１４の一部が開口部１５から露出し、ロック部１４が自身のバネ作用により開口部１５から一部が露出することにより、シャッター１２がロックされた状態となる。
【００２９】
以上説明の様に、本実施の形態によれば、簡単な構成でコネクタ部の保護が実現できる。
【００３０】
また、簡単な構成により、コネクタ部の保護のロックが実現できる。
【００３１】
また、２種類のバネを用いることにより、簡単な構成で保護機構と、ロック機構が実現できる。
【００３２】
また、ガイド部にロック機構の開口部を設けることにより、ロック機構を実現するため、コネクタの構造が簡単になる。
【００３３】
（第２実施の実施の形態）
次に、シャッター部のロック機構の第２の実施の形態について説明する。
【００３４】
図６は、第２の実施の形態に係る電子機器、及び、コネクタの斜視図である。尚、コネクタ２０及び筐体１０の部分は第１実施の形態と同様である。
【００３５】
図７（ａ）は第２の実施の形態に係る電子機器を上方から見た（一部透視した）平面図、図７（ｂ）は図７（ａ）Ａ部の（一部透視した）拡大図、図８は図７（ｂ）のＤ−Ｄ断面図である。
【００３６】
筐体１０にはコネクタ２０と勘合するコネクタ５０が設けられ、コネクタ５０の接続部１１は、シャッター５３により覆われている。シャッター５３は、コネクタ５０に一体に設けられた軸５０ｄに挿入されたバネ１６により、図７の左方向（接続部が隠れる方向）へ押圧さており、ストッパー５０ｃによりコネクタ５０内部から外れないように構成さている。シャッター５３は樹脂で形成されており、両サイドにはバネ部５３ｃが一体に設けられ、バネ部５３ｃの先端部には凸部５３ｂが設けられている。さらに、凸部５３ｂの厚み方向上下にはツメ部５３ａが形成されている。
【００３７】
図８に示すように、コネクタ５０の両サイドの溝３１には、凸部５３ｂが図８に示した左右に移動できるよう、開口部５０ｂが設けられている。開口部５０ｂの上下方向の一部にはロック部５０ａが形成され、バネ部５３ｃがフリーの状態では、ツメ部５３ａと干渉するような位置関係になっている。
【００３８】
次に、シャッター５３のロック機構について詳細に説明する。
【００３９】
図９（ａ）は第２の実施の形態に係る電子機器を右側面から見た側面図であり、図９（ｂ）は図９（ａ）Ｃ部の拡大図である。図１０（ａ）は図９（ａ）のＢ−Ｂ断面図であり、図１０（ｂ）は図１０（ａ）Ｅ部の拡大図である。
【００４０】
図９（ｂ）、図１０（ｂ）に示すようにコネクタ２０が勘合していない状態では、バネ部５３の先端部の凸部５３ｂが押されていないため、仮に、シャッター５３が図１０（ａ）の右方向（接続部が露出する方向）へ押されても、ツメ部５３ａがコネクタ５０のロック部５０ａに引っかかり、右方向へは移動できない。
【００４１】
次に、ロック機構が解除された場合を説明する。
【００４２】
図１１（ａ）はコネクタ２０のロック解除部２２先端が、溝３１に挿入され凸部５３ｂがコネクタ５０の内側へ押し付けられた状態の断面図であり、図１１（ｂ）は図１１（ａ）Ｉ部の拡大図である。１２（ａ）はコネクタ２０がコネクタ５０へ更に挿入された状態を表しており、１２（ｂ）は図１２（ａ）Ｇ部の拡大図である。図１３（ａ）はコネクタ２０がコネクタ５０へ完全に挿入された状態を表しており、１３（ｂ）は１３（ａ）Ｈ部の拡大図である。
【００４３】
図１１（ｂ）、図１２（ｂ）、図１３（ｂ）に表したように、コネクタ２０がコネクタ５０に挿入されると、解除部材２２が凸部５３ｂを内側へ押し付けることにより、バネ部５３ｃが変形し、凸部５３ｂが内側へ移動し一体であるツメ部５３ａも内側へ移動する。図１２（ｂ）で表したように、この状態ではツメ部５３ａとロック部５０ａは干渉しないため、シャッター５３はコネクタ２０の挿入により、右方向へ移動しコネクタ２０とコネクタ５０は完全に結合する。
【００４４】
コネクタ２０をコネクタ５０から外す場合も同様で、コネクタが挿入状態であれば、ロック解除部２２が凸部５３ｂを内側へ移動させ、ツメ部５３ａとロック部５０ａが干渉しないため、シャッター５３はバネ１６に押圧され、コネクタ２０と共に移動し、凸部５３ｂがストッパー５０ｃにぶつかり停止する。
【００４５】
上述したように、ロック解除部２２がシャッター５３のロックを解除するために押圧する凸部５３ｂが、移動するための開口部５０ｂを設け、シャッター５３をロックするための機構を他のところに設けたことにより、バネ部５３ｃの変形量が少なくなるため、変形によるクリープの可能性が少なくなる。また、凸部５３ｂがコネクタ５０の内壁に接しないため、摺動負荷も少なくなり、内壁の磨耗も防げる。
【００４６】
（第３の実施の形態）
第１、第２の実施の形態共に、シャッター部とロック部を一体に形成した例を説明したが、以下に示すように、シャッター部とロック部を別部材で構成すること考えられる。以下図面を用いて詳細に説明する。
【００４７】
図１４（ａ）、図１４（ｂ）は第２の実施の形態に係る電子機器、及び、コネクタの異なる方向から見た斜視図である。
【００４８】
図１５（ａ）は第３の実施の形態に係る電子機器を上方向から見た（一部透視した）平面図であり、図１５（ｂ）は図１５（ａ）Ｊ部の拡大図である。また、図１６（ａ）は第３の実施の形態に係る電子機器の右側面図であり、図１６（ｂ）は図１６（ａ）Ｋ部の拡大図、図１７（ａ）は図１６（ａ）のＢ−Ｂ断面図であり、図１７（ｂ）は図１７（ａ）Ｌ部の拡大図である。
【００４９】
筐体１０にはコネクタ６０と接続するコネクタ５８が取り付けられ、コネクタ５８の接続部１１はシャッター５９に覆われている。シャッター５９は、コネクタ５８に一体に設けられた軸５８ｄに挿入されたバネ１６により図１５（ａ）の左方向へ押圧されており、ストッパー５８ｃによりコネクタ５８内部から外れないよう構成されている。
【００５０】
次にシャッター５９のロック機構について詳細に説明する。
【００５１】
図２１（ａ）、図２２（ａ）はシャッター５９のユニット部のみを表した（一部透視した）斜視図で、異なる方向から表したものであり、図２１（ｂ）は図２１（ａ）Ｑ部の拡大図、図２２（ｂ）は図２２（ａ）Ｒ部の拡大図である。
【００５２】
シャッター５９には穴５９ｇが設けられ、レバー６１の軸６１ｃが挿入されている。レバー６１にはロック解除部２２に押圧される凸部６１ｂと、シャッターをロックするためのツメ部６１ａが一体に設けられ、更に、ツメ部６１ａ上部には斜面６１ｄが形成されている。また、シャッター５９には軸５９ｆが設けられ、軸５９ｆにはコイルバネ６２が挿入されている。コイルバネ６２の一方のレバー部はシャッター５９に一体に設けられた壁５９ｅに圧接し、他方はレバー６１に圧接している。そのためレバー６１は軸６１ｃを回転中心として外側に回転するよう押圧されている。
【００５３】
図１８（ａ）、図１９（ａ）、図２０（ａ）はコネクタ６０がシャッター５９を押し下げながら、コネクタ５８に挿入される状態を段階的に表した断面図であり、図１８（ｂ）は図１８（ａ）Ｍ部の拡大図、図１９（ｂ）は図１９（ａ）Ｎ部の拡大図、図２０（ｂ）は図２０（ａ）Ｐ部の拡大図である。
【００５４】
図１７（ｂ）の状態ではコネクタ６０が挿入されていないため、シャッター５９のスラスト方向は、バネ１６がシャッター５９を押し上げ、レバー６１がコネクタ５８のストッパー５８ｃに突き当たった状態で規制されている。レバー６１の回転方向はコイルバネ６２により外側へ押されているが、図１７（ｂ）、図１６（ｂ）に示したように、ツメ部６１ａがコネクタ５８の内部の側面に突き当たり規制されている。この状態でシャッター５９が押されても、ツメ６１ａがロック部５８ａに引っかかりそれ以上奥へはスライドできない。
【００５５】
図１８（ａ）ではコネクタ６０のロック解除部２２が凸部６１ｂに圧接し、レバー６１をコネクタ５８の内側へ押し下げているが、シャッター５９は押し下げられていない状態を表している。
【００５６】
さらに、図１９（ａ）ではコネクタ６０がコネクタ５８内部へ挿入され、ツメ部６１ａがロック部５８ａに引っかからずにシャッター５９がスライドしていく状態を表しており、図２０（ａ）では、コネクタ６０がコネクタ５８へ完全に挿入された状態を表している。
【００５７】
尚、何らかの方法により、両サイドのレバー６１を内側に押せば、シャッター５９を押し下げることが可能となる。仮にこのようにしてシャッター５９を下げた状態で、レバー６１をフリーにし、さらに、シャッター５９もフリーにすると、シャッター５９は上方へ押し上げられ、レバー６１はコネクタ５８の壁側に押圧されながら上昇する。レバー６１はコネクタ５８の内壁に押し付けられながら上昇するので、ツメ部６１ａとロック部５８は干渉する。しかし、レバー６１のツメ部６１ａの上部には斜面６１ｄが形成されており、ロック部５８ａにも斜面５８ｄが形成されているため、ロック部５８ａに突き当たるとレバー６１は内側回転しロック部５８ａを乗り越え、凸部６１ｂがストッパー５８ｃに突き当たるまでシャッター５９は上昇する。
【００５８】
さらに、コネクタ６０はプリント基板５５に半田付けされているが、コネクタ６０には軸５８ｄを逃げるように、段付き穴６０ａが設けられている。また、プリント基板５５にも穴６０ａに対応した位置に穴が設けられており、それらの穴を利用して、ネジ５６とナット５７によりコネクタ６０とプリント基板５５は強力に固定されるよう構成されている。
【００５９】
本実施の形態では、ナット５７がプリント基板５５側に接するように固定したが、ネジ５６がプリント基板５５側に接するように固定しても構わない。また、ナット５５を穴６０ａにあらかじめインサート成型しても良い。
【００６０】
更に、穴６０ａの内径より少し太目のセルフタップネジを使用し、プリント基板５５側からネジ止めすれば、ナット５７が不要となり、コストダウンにもなる。
【００６１】
【発明の効果】
以上説明したように本発明によれば、電子機器に取り付けられるコネクタの保護を簡単な構成で実現できる。
【図面の簡単な説明】
【図１】本実施の形態に係る電子機器、及び、コネクタの斜視図である。
【図２】コネクタ３０とコネクタ２０が接続した状態で、シャッター１２が押された（開いた）状態の斜視図である。
【図３】電子機器１の側面図である。
【図４】ロック部材１４により、シャッター１２がロックされた状態の電子機器１の断面図である。
【図５】ロック部材１４がコネクタ２０のロック解除部２２により解除され、シャッター１２が開いた状態の電子機器１の断面図である。
【図６】第２の実施の形態に係る電子機器、及び、コネクタの斜視図である。
【図７】第２の実施の形態に係る電子機器を上方から見た平面図である。
【図８】図７（ｂ）のＤ−Ｄ断面図である。
【図９】第２の実施の形態に係る電子機器を右側面から見た側面図である
【図１０】図９（ａ）のＢ−Ｂ断面図である。
【図１１】第２の実施の形態のロック解除機構部を表す断面図である。
【図１２】第２の実施の形態のロック解除機構部を表す断面図である。
【図１３】第２の実施の形態のロック解除機構部を表す断面図である。
【図１４】第３の実施の形態に係る電子機器、及び、コネクタの斜視図である。
【図１５】第３の実施の形態に係る電子機器を上方向から見た平面図である。
【図１６】第３の実施の形態に係る電子機器の右側面図である。
【図１７】図１６（ａ）のＢ−Ｂ断面図である。
【図１８】第３の実施の形態のロック解除機構部を表す断面図である。
【図１９】第３の実施の形態のロック解除機構部を表す断面図である。
【図２０】第３の実施の形態のロック解除機構部を表す断面図である。
【図２１】シャッター５９のユニット部のみを表した斜視図である。
【図２２】シャッター５９のユニット部のみを表した斜視図である。
【符号の説明】
１  電子機器
１０  筐体
１２  シャッター
１３  ガイド
１４  ロック部材
１５  開口部
１６  バネ
２０  コネクタ
２２  ロック解除部
３０  コネクタ
３１  ガイド
５０  コネクタ
５０ａ  ロック部
５０ｂ  開口部
５３    シャッター
５３ａ  ツメ部
５３ｂ  凸部
５３ｃ  バネ部
５６  ネジ
５７  ナット
５８  コネクタ
５８ａ  ロック部
５９  シャッター
６０  コネクタ
６０ａ  穴
６１  レバー
６１ａ  ツメ部
６１ｂ  凸部
６２  コイルバネ
【図１】
0003950666.tif 000002
【図２】
0003950666.tif 000003
【図３】
0003950666.tif 000004
【図４】
0003950666.tif 000005
【図５】
0003950666.tif 000006
【図６】
0003950666.tif 000007
【図７】
0003950666.tif 000008
【図８】
0003950666.tif 000009
【図９】
0003950666.tif 000010
【図１０】
0003950666.tif 000011
【図１１】
0003950666.tif 000012
【図１２】
0003950666.tif 000013
【図１３】
0003950666.tif 000014
【図１４】
0003950666.tif 000015
【図１５】
0003950666.tif 000016
【図１６】
0003950666.tif 000017
【図１７】
0003950666.tif 000018
【図１８】
0003950666.tif 000019
【図１９】
0003950666.tif 000020
【図２０】
0003950666.tif 000021
【図２１】
0003950666.tif 000022
【図２２】
0003950666.tif 000023